(57)【特許請求の範囲】
【請求項１】
食器等の被洗浄物を出し入れ可能に収容する洗浄槽と、洗浄水を加圧する洗浄ポンプと、前記洗浄ポンプで加圧された洗浄水を前記洗浄槽内に噴射する洗浄ノズルと、前記洗浄槽の開口部を開閉し回転軸を中心に前記開口部を下方へ開く扉体と、前記洗浄槽と前記扉体とで前記開口部を水密にシールするシール部と、前記扉体の閉成状態を維持するロック手段とを備え、前記シール部は、前記洗浄槽または扉体の少なくともいずれか一方に設けたシール部材と、前記シール部材と対向させて他方に設けた当接部を有し、前記扉体は、上下に分割した上扉体と下扉体とで構成され、前記上扉体および前記下扉体は、回転軸を中心に下方へ開くとともに、前記シール部の外側に水受部を有し、開成状態から閉塞方向への回動時に前記上扉体の水受部の水を前記下扉体の水受部を介して前記洗浄槽へ回収するようにした食器洗い機。
【請求項２】
上扉体は、開成状態で洗浄槽の開口部側に水受部の水を流出させる流出部を設け、前記流出部は、前記上扉体の閉塞方向への回動時に前記開口部から離れる方向へ変位し、下扉体に設けた水受部の上方に位置するように構成した請求項１記載の食器洗い機。
【請求項３】
下扉体と上扉体の開閉動作を連動させる連動手段と、前記下扉体を下方へ開く操作部を設け、前記上扉体は、前記下扉体の開成動作に連動して下方へ回動し、前記下扉体の上面側に重なるように開く構成とした請求項１または２記載の食器洗い機。
【発明の詳細な説明】
【技術分野】
【０００１】
本発明は、洗浄水を噴射して食器等の洗浄を行う食器洗い機に関するものである。
【背景技術】
【０００２】
従来、この種の食器洗い機は、図９に示すような構成のものが考えられていた（例えば、特許文献１参照）。前記特許文献１に記載された食器洗い機は、本体１０１内に配設した洗浄槽１０２の前面に開口部１０３が設けられている。この開口部１０３は２個の扉体１０４、１０５で開閉され、開口部１０３に対して下方へ連動させて開成される。開成した状態では扉体１０５の上に扉体１０４が重なり、扉体１０４の上に食器かご１０６を洗浄槽１０２内から引き出して食器１０７をセットするようにしたものである。
【特許文献１】特開２００２−１０９６１号公報
【発明の開示】
【発明が解決しようとする課題】
【０００３】
しかしながら、前記従来の構成では、食器かご１０６に食器１０７をセットする際に、碗や湯のみ、コップ等を伏せたときに、飲み残しの汁や水が残っていると扉体１０４、１０５上にこぼれる。扉体１０４、１０５のシール部の外側にこぼれた汁や水等は、食器１０７をセットした食器かご１０６を洗浄槽１０２内に格納し、扉体１０４、１０５を閉成すべく本体１０１側へ回動させたときに、洗浄槽１０２内へ回収されずに機外へこぼれて本体１０１の下部やシンク等の設置部が汚れるという問題があった。
【０００４】
本発明は、前記従来の課題を解決するもので、扉体のシール面の外側に付着した水が閉塞時に機外に漏れないようにすることを目的としている。
【課題を解決するための手段】
【０００５】
前記従来の課題を解決するために、本発明の食器洗い機は、洗浄槽の開口部を開閉し回転軸を中心に前記開口部を下方へ開く扉体と、前記洗浄槽と前記扉体とで前記開口部を水密にシールするシール部を備え、前記シール部は、前記洗浄槽または扉体の少なくともいずれか一方に設けたシール部材と、前記シール部材と対向させて他方に設けた当接部を有し、前記扉体は、上下に分割した上扉体と下扉体とで構成され、前記上扉体および前記下
扉体は、回転軸を中心に下方へ開くとともに、前記シール部の外側に水受部を有し、開成状態から閉塞方向への回動時に前記上扉体の水受部の水を前記下扉体の水受部を介して前記洗浄槽へ回収するようにしたものである。
【０００６】
これにより、２枚の扉体を開口部の下方へ開くようにした構成とした上扉の開成状態は、閉塞時の内面が上向きとなるように下扉の上側に近接して重なるようにしているので、閉塞方向への回動時は、両扉とも開口部側が低くなるように傾斜し、上扉のシール面の外側に付着した水を下扉の水受部を介して洗浄槽へ回収することができ、機外へ漏れるのを防止することができるとともに、食器のセット時にシール部の外側に付着した水を機外に漏らさないようにし、本体およびシンクを清潔に保つことができる。
【発明の効果】
【０００７】
本発明の食器洗い機は、シール部の外側に付着した水が扉体の閉塞時に機外へ漏れるのを防止することができる。
【発明を実施するための最良の形態】
【０００８】
第１の発明は、食器等の被洗浄物を出し入れ可能に収容する洗浄槽と、洗浄水を加圧する洗浄ポンプと、前記洗浄ポンプで加圧された洗浄水を前記洗浄槽内に噴射する洗浄ノズルと、前記洗浄槽の開口部を開閉し回転軸を中心に前記開口部を下方へ開く扉体と、前記洗浄槽と前記扉体とで前記開口部を水密にシールするシール部と、前記扉体の閉成状態を維持するロック手段とを備え、前記シール部は、前記洗浄槽または扉体の少なくともいずれか一方に設けたシール部材と、前記シール部材と対向させて他方に設けた当接部を有し、前記扉体は、上下に分割した上扉体と下扉体とで構成され、前記上扉体および前記下扉体は、回転軸を中心に下方へ開くとともに、前記シール部の外側に水受部を有し、開成状態から閉塞方向への回動時に前記上扉体の水受部の水を前記下扉体の水受部を介して前記洗浄槽へ回収するようにしたことにより、２枚の扉体を開口部の下方へ開くようにした構成とした上扉の開成状態は、閉塞時の内面が上向きとなるように下扉の上側に近接して重なるようにしているので、閉塞方向への回動時は、両扉とも開口部側が低くなるように傾斜し、上扉のシール面の外側に付着した水を下扉の水受部を介して洗浄槽へ回収することができ、機外へ漏れるのを防止することができるとともに、食器のセット時等に被洗浄物から落下し扉体のシール面の外側に付着した水を洗浄槽へ回収することができ、本体およびシンクを清潔に保つことができる。
【００１０】
第２の発明は、特に、第１の発明の上扉体は、開成状態で洗浄槽の開口部側に水受部の水を流出させる流出部を設け、前記流出部は、前記上扉体の閉塞方向への回動時に前記開口部から離れる方向へ変位し、下扉体に設けた水受部の上方に位置するように構成したこ
とにより、上扉体を下扉体の上面に近接する位置まで回動させたときに、上扉体の下端を洗浄槽の開口部へ近づけることができ、食器かごの引き出しおよび格納を円滑にすることができる。そして、上扉体の閉塞方向への回動時は、上扉体の下端が開口部から離れる方向へ変位するときに、上扉体の上面が開口部側が低くなるように傾斜するので、上扉体の水受部に付着した水は下扉体の水受部に流れ落ち、下扉体の水受部を介して確実に洗浄槽に回収することができる。
【００１１】
第３の発明は、特に、第１または第２の発明の下扉体と上扉体の開閉動作を連動させる連動手段と、前記下扉体を下方へ開く操作部を設け、前記上扉体は、前記下扉体の開成動作に連動して下方へ回動し、前記下扉体の上面側に重なるように開く構成としたことにより、回動時に上扉体の流出部と下扉体の水受部の距離が近接した状態を保持することができ、上扉体の水受部に付着した水を下扉体の水受部を介して確実に洗浄槽に回収することができる。また、上扉体の流出部から流出する水は、下扉体の水受け部が傾斜した状態で受けることができるので、上扉体の水受部から落下する水滴の飛散を抑えて、確実に洗浄槽に回収することができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における食器洗い機の扉体の閉成時の側壁部断面図、図２は、同扉体の開成時の側壁部断面図、図３は、同シール部の断面図、図４は、同扉体の開成時の要部断面図、図５は、同扉体の閉成途中の側壁部断面図、図６は、同扉体の開放初期の側壁部断面図、図７は、同扉体の開成時の斜視図、図８は、同扉体の閉成時の第２の連結点の動作説明図である。
【００１４】
本体１の内部には、洗浄槽２が設けられており、洗浄槽２の内部には、食器などの被洗浄物３をセットする食器かご４が収納されている。洗浄槽２は、洗浄槽下部２ａと洗浄槽上部２ｂを結合して構成している。洗浄槽２の前面には開口部５が設けられており、開口部５の上部と下部の夫々を上扉体６と下扉体７により開閉するよう構成されている。
【００１５】
開口部５の周囲の前面には、例えばシリコンゴム等の弾性体からなるシール部材８が溝に嵌め込むように取付けられており、上扉体６に設けた上扉体シール受け部（当接部）６ａと、下扉体７に設けた下扉体シール受け部（当接部）７ａとによって、開口部５のシー
ル部を構成している。上扉体６には扉体間シール部材（図示せず）が取付けられており、下扉体７に設けた扉体間シール受け部７ｂとによって、上扉体６の下端と下扉体７の上端との連結部のシール部を構成している。
【００１６】
下扉体７のシール受け部７ａの内側にはシール部材８を覆うように遮蔽部７ｂが設けてあり、洗浄槽２内に噴射された洗浄水が直接シール部に当たるのを防止している。下扉体７のシール受け部７ａの外側にはシール受け部７ａに沿って凹状の水受部１０を設けてあり、使用者が食器などをセットする際に食器等から落下した水を溜めることができる。水受部１０は、下扉体７の閉成時において最も下部となる下端位置に、溜まった水の流出部１０ａが設けられている。
【００１７】
下扉体７の流出部１０ａは、下扉体７の開成状態で開口部５に向かって斜め上方向に傾斜しており、水受部１０に溜まった水が開成状態で機外に漏れないようにするとともに、閉塞状態への回動時に洗浄槽下部２ａに回収される際の案内の役割を成している。また、下扉体７の流出部１０ａは、閉成状態で洗浄槽下部２ａの前縁よりも洗浄槽２の内側に位置する。
【００１８】
上扉体６のシール受け部６ａの外側には、下扉体７と同様にシール受け部６ａに沿って凹状の水受部１１を設けている。水受部１１は上扉体６の閉成時において最も下部となる下端位置に、溜まった水の流出部１２が設けられている。流出部１２は、下扉体７の水受部１０の上方に位置しており、上扉体６の水受部１１に溜まった水は、開成状態から閉塞状態への回動時に流出部１２から下扉体７の水受部１０に流れ落ち、下扉体７の流出部１０ａから洗浄槽２に回収される。
【００１９】
流出部１２は、上扉体６の開成状態で開口部５に向かって斜め上方向に傾斜しており、水受部１１に溜まった水が開成状態で機外に漏れないようにするとともに、閉塞状態への回動時に下扉体７の水受部１０に回収される際の案内の役割を成している。
【００２０】
洗浄槽下部２ａは回転自在に設けられた洗浄ノズル４５と、洗浄ノズル４５へ洗浄水を供給する洗浄ポンプ４６と、洗浄水を貯水する貯水部４７が設けられている。
【００２１】
上扉体６は、洗浄槽２の側壁に設けた第１の回転軸１３により回転自在に軸支された上扉支持部材１４に固定されている。洗浄槽２の側壁には、上扉支持部材１４と当接する第１のストッパー部１５が設けられており、上扉体６が、開口部５の前方下方にその内面が上向きで略水平となる位置まで開成するよう構成されている。
【００２２】
下扉体７は、洗浄槽２側壁の開口部５の下端部近傍で、第２の回転軸１６により回転自在に軸支された下扉支持部材１７に固定されている。洗浄槽２の側壁には、開成時に下扉支持部材１７と当接する第２のストッパー部１８が設けられており、下扉体７が、開口部５の前方下方にその内面が上向きで略水平となる位置まで開成するよう構成されている。なお、下扉体７の開成位置は、上扉体６の開成位置の下方に位置するよう構成している。
【００２３】
下扉体７には、押しボタンスイッチ１９と、洗浄槽２側壁に設けた係止部２０に係止して、下扉体７を開口部５を閉成した状態で固定するロック手段２１が設けられており、押しボタンスイッチ１９の操作と連動して、係止部２０からロック手段２１を解除できるようにしている。
【００２４】
また、一端が第１の連結点２２で下扉支持部材１７と回転自在に連結され、他端が第２の連結点２３で上扉支持部材１４と回転自在に連結された連動部材２４により、上扉体６と下扉体７は連動して開口部５の前方下方に重ね合わせるように開閉する構成となってい
る。また、下扉体７には操作部２５が設けられており、使用者が下扉体７を開閉すると、上扉体６も下扉体７の動作と連動して開閉する。
【００２５】
また、第２の連結点２３は、連動部材２４に設けた円筒連結軸２３ａと、上扉支持部材１４に設けた長穴部２３ｂにより構成されており、閉成状態の上扉体６に対して、下扉体７が開放する方向にあそびを有している。
【００２６】
連動部材２４には、ガイド穴部２６が設けられ、上扉支持部材１４には、ガイド穴部２６内を移動するガイド突起部２７が設けられており、上扉体６と下扉体７の閉成状態から開成状態にかけて係合するよう構成されている。また、ガイド穴部２６は、上扉体６が閉成状態では、第２の連結点２３があそびを有するようガイド突起部２７の所定動作領域を有し、開放途中から開成状態にかけては、第２の連結点２３のあそびを無くするよう、ガイド突起部２７の動作を規制する形状となっている。
【００２７】
洗浄槽２の側壁には、第１のガイドピン２８と第２のガイドピン２９が設けられており、上扉閉塞引込み手段である上扉引き込み部材３０には、逆Ｌ字形状の第１のガイドレール３１と、ストレート形状の第２のガイドレール３２が形成され、第１のガイドレール３１には第１のガイドピン２８が摺動自在に係合し、第２のガイドレール３２には第２のガイドピン２９が摺動自在に係合している。
【００２８】
また、上扉引き込み部材３０には、上扉体６と下扉体７の閉成状態から、上扉体６と下扉体７が所定量開放するまで、上扉支持部材１４に設けた上扉引き込みピン３３と当接する上扉引き込み突起部３４と、上扉体６と下扉体７開成状態から、上扉体６と下扉体７を所定量閉塞した時に、上扉引き込みピン３３と当接する上扉引き込みトリガー部３５が形成されている。
【００２９】
また、上扉引き込み部材３０に設けた第１の保持部３６と、洗浄槽２の側壁に設けた第２の保持部３７を引張りコイルバネで構成した第１のスプリング３８で連結することで、上扉体６と下扉体７の閉成状態から、上扉体６と下扉体７が所定量開放し、上扉引き込みピン３３と上扉引き込み突起部３４の当接が解除されるまで、上扉引き込み部材３０が上扉支持部材１４を上扉体６が閉塞する方向に付勢するよう構成している。
【００３０】
上扉支持部材１４に設けた第３の保持部３９と、洗浄槽２の側壁に設けた第４の保持部４０を引張りコイルバネで構成した第２のスプリング４１で連結し、上扉体６を閉塞方向に弾性的に付勢するよう構成している。
【００３１】
さらに、連動部材２４に設けた第５の保持部４２と洗浄槽２の側壁に設けた第６の保持部４３を引張りコイルバネで構成した第３のスプリング４４で連結し、閉成状態から開放途中（閉成状態から下扉体７が４５°程度回動）では、上扉体６と下扉体７が開放する方向に連動部材２４を弾性的に付勢し、開放途中から開成状態にかけては、上扉体６と下扉体７が閉塞する方向に連動部材２４を弾性的に付勢するよう構成している。
【００３２】
以上のように構成された本発明の実施の形態１における食器洗い機について、その動作、作用を説明する。押しボタンスイッチ１９を押すことで、係止部２０からロック手段２１が解除され、第３のスプリング４４によって付勢された連動部材２４が、上扉体６と下扉体７の開放方向に動作する。
【００３３】
第２のスプリング４１の上扉支持部材１４への付勢力と、上扉引き込み部材３０の上扉支持部材１４への上扉引き込み力により、開放初期は下扉体７のみが開放し、上扉体６は閉成位置に留まっており、図１の状態から図６の状態となる。
【００３４】
本実施の形態１では、第２のスプリング４１と、上扉引き込み部材３０の２つの機構で開放初期に上扉体６を閉成位置に留まらせるよう構成しているが、上扉体６の重量や第２のスプリング４１や上扉引き込み部材３０を組み込む空間の制約条件によっては、どちらか一方の機構だけで、上扉体６を閉成位置に留まらせる構成にすることも可能である。
【００３５】
円筒連結軸２３ａが長穴部２３ｂ内のあそび領域を移動しきると、円筒連結軸２３ａと長穴部２３ｂとが連結され、上扉体６と下扉体７は、連動して動作する。
【００３６】
上扉体６と下扉体７の開放動作に合わせて、上扉引き込み部材３０は、上方に移動し、上扉体６と下扉体７が所定量開放すると、第２のガイドレール３２の第２のレール端点３２ａと第２のガイドピン２９が当接する。さらに上扉体６と下扉体７を開放すると、上扉引き込み部材３０は、第２のガイドピン２９を支点にして、第１のガイドレール３１の第１のガイド端点３１ａと第１のガイドピン２８が当接するまで回動する。
【００３７】
上扉引き込み部材３０が回動することにより、上扉引き込みピン３３と上扉引き込み突起部３４の当接が解除され、上扉引き込み部材３０による、上扉体６と下扉体７の閉塞方向への付勢がなくなる。
【００３８】
上扉引き込み部材３０は、第１のスプリング３８により下方に付勢されているが、第１のガイドピン２８が、第１のガイドレール３１の上面に突張っているので下方へ移動せず、図２に示すように上方位置に留まる。
【００３９】
上扉引き込み部材３０は、上扉体６がシール部材８から反発力を受け、上扉体６を正規位置に閉成させるのに大きな閉塞力が必要な扉体閉成近傍から閉成にかけてのみ扉体閉塞力を作用させることができるので、第２のスプリング４１のように常に閉成方向への付勢力が働くような構成と比べて、効果的に上扉体６を正規閉成位置まで閉塞させることできる。
【００４０】
上扉体６と下扉体７は、上扉支持部材１４と下扉支持部材１７が、それぞれ第１のストッパー部１５と第２のストッパー部１８に当接する開成状態まで開放する。この時、上扉体６と下扉体７は、その双方の内面を上向きで略水平にし、上扉体６が下扉体７の上方に位置して重ね合わさるように開成する。
【００４１】
上扉体６と下扉体７の開成後、上扉体６の内面上に食器かご４を引出し、被洗浄物をセットする。食器かご４を上扉体６の内面上に引出す構成をとっているので、食器などの被洗浄物３から垂れた汁、水滴が機外へ流出するのを防止することができる。また、食器セット時に被洗浄物から落下し、上扉体６のシール受け部６ａよりも外側に付着した水滴は、水受部１１に溜めることができる。
【００４２】
また、上扉体６を開口部５から下方へ開いて食器かご４の下方に位置するため、開口部５の上部が上扉体６で被さることがなく、被洗浄物３のセット作業がしやすく、本体１の上面を物置スペースとして活用できるので非常に使い勝手がよい。さらには、本体１の上方に上扉体６を移動させるための開放空間を必要としないので、狭いキッチンへの設置性もよい。
【００４３】
続いて、食器かご４を洗浄槽２内に収納し、下扉体７を閉塞する。上扉体６と下扉体７は、連動して開閉する構成となっているので、上扉体６も同時に閉塞される。第２のスプリング４１による上扉支持部材１４を介した上扉体６の閉塞方向への付勢力と、第３のスプリング４４による連動部材２４への扉体閉塞方向への付勢力により、小さな起動力で下
扉体７を閉塞することができ、操作が容易である。
【００４４】
開成状態で上扉体６の水受部１１に溜まっていた水は、図５に示すように、閉成までの回動時に水受部１１を開口部５側の流出部１２に向かって下方に流れ、流出部１２を介して下扉体７の水受部１０に回収される。前述のように、上扉体６と下扉体７は、連動して開閉する構成となっているので、上扉体６の流出部１２と下扉体７の水受部１０は近接した状態を保持することが可能となり、水の回収性を高めることができる。また、前記上扉体６の流出部１２から流出する水を、前記下扉体７の水受部１０が水平面より角度を有する傾斜した状態で受けることにより、水受け時の水滴の飛散を抑えることができる。
【００４５】
また、開成状態で上扉体６を下扉体７の上面に近接する位置まで回動させると、上扉体６の下端を洗浄槽２の開口部５へ近づけることができるので、食器かご４の引き出しおよび格納を円滑にすることができる。そして、上扉体６の閉塞方向への回動時は、上扉体６の下端が開口部５から離れる方向へ変位するときに、上扉体６の上面が開口部５側が低くなるように傾斜するので、上扉体６の水受部１１に付着した水は下扉体７の水受部１０に流れ落ちる。
【００４６】
また、開成状態で下扉体７の水受部１０に溜まっていた水、および、上扉体６の水受部１１から回収された水は、下扉体７の水受部１０を下方に流れ、流出部１０ａを介して洗浄槽下部２ａに回収される。このため、上扉体６の水受部１１と下扉体７の水受部１０に溜まっていた水は、機外に漏れることなく洗浄槽２に回収することができるため、本体およびシンクを清潔に保つことができる。
【００４７】
なお、上述した上扉体６と下扉体７の開閉機構は、洗浄槽２および上扉体６と下扉体７の左右両側に設けられている。
【産業上の利用可能性】
【００４８】
以上のように、本発明にかかる食器洗い機は、シール部の外側に付着した水が扉体の閉塞時に機外へ漏れるのを防止することができるので、食器洗い機として有用である。
【図面の簡単な説明】
【００４９】
【図１】本発明の実施の形態１の食器洗い機の扉体の閉成時の側壁部断面図
【図２】同食器洗い機の扉体の開成時の側壁部断面図
【図３】同食器洗い機のシール部の断面図
【図４】同食器洗い機の扉体の開成時の要部断面図
【図５】同食器洗い機の扉体の閉成途中の側壁部断面図
【図６】同食器洗い機の扉体の開放初期の側壁部断面図
【図７】同食器洗い機の扉体の開成時の斜視図
【図８】（ａ）同食器洗い機の扉体の閉成時の第２の連結点の動作説明図（ｂ）同扉体の開放初期の第２の連結点の動作説明図（ｃ）同扉体の開放途中の第２の連結点の動作説明図
【図９】従来の食器洗い機の扉体の開成時の断面図
【符号の説明】
【００５０】
２  洗浄槽
５  開口部
６  上扉体
６ａ  シール受け部（当接部）
７  下扉体
７ａ  シール受け部（当接部）
８  シール部材（シール部）
１０  水受部
１１  水受部
２１  ロック手段
４５  洗浄ノズル
４６  洗浄ポンプ
【図１】
0004544344.tif 000002
【図２】
0004544344.tif 000003
【図３】
0004544344.tif 000004
【図４】
0004544344.tif 000005
【図５】
0004544344.tif 000006
【図６】
0004544344.tif 000007
【図７】
0004544344.tif 000008
【図８】
0004544344.tif 000009
【図９】
0004544344.tif 000010